(57)【要約】 【課題】インターネット販売時、眼鏡枠をユーザーのお顔にフィッティング調整した状態でお届けできる方法又はシステム。元来眼鏡調整はユーザーと直接面談にて行う調整ですが、インターネット販売又は通信販売の場合は直接面談が不可能な為、一般ユーザーも簡単に使える専用測定ゲージ、調整用ゲージが必要である事に着目、考案。【解決手段】簡単な顔測定用ゲージを作る。ゲージをプリンターで印刷し、簡単な組み立てで使用可能にする。簡単な測定方法の説明を経て得たデータを基にインターネット上のページよりデータを送信。受信をしたデータを基にフレーム調整用専用ゲージを使って眼鏡枠を調整しお届け又は発送する。【選択図】  図３
2012123027.tif 000002
【特許請求の範囲】
【請求項１】
眼鏡ユーザーが自分の顔を測定するにあたり眼鏡ユーザーが簡単に使用できる事を特徴とした測定ゲージにおいて「顔幅長」「顔側面から見て眉間部から耳介上部までの距離」「眼と鼻位置までの相対位置関係」を測定する為のゲージで、眼鏡ユーザーがPDFファイルを印刷し簡単な折り紙構造で使用できる事を特徴とする顔幅長測定ゲージと眉間部から耳介上部までの距離測定ゲージ及び眼高測定ゲージ。
【請求項２】
顔幅長測定ゲージと眉間部から耳介上部までの距離測定ゲージ及び眼高測定ゲージで測定した数値データにフレーム調整をするゲージは、顔横幅測定ゲージで得た数値から5〜6mm少ない数値が快適装用に最も望ましい結果となる為、予め数値を差し引き測定ゲージの結果に合うよう作成した「フレームテンプル横幅調整用ゲージ」と、眉間部から耳介上部までの距離測定ゲージで得た数値に7〜9mm長い位置で曲げるのが快適装用に最も望ましい結果となる為、予め数値を足し測定ゲージの結果に合うよう作成した「フレームテンプルモダン部曲げ位置調整用ゲージ」及び、多数ユーザーの鼻上部の形、広がり角度の平均から出した鼻パット基準位置を基点とし作成した「鼻パット調整用ゲージ」で数値に沿って容易に調整できる事を特徴とするフレーム調整用専用ゲージ
【発明の詳細な説明】
【技術分野】
【０００１】
本発明はユーザーと直接面談しなくても眼鏡のフィッティング調整が出来る測定ゲージとフレーム調整用ゲージです。
【背景技術】
【０００２】
眼鏡は、ユーザーの視力補正に必要な度数レンズを入れ、光学的な機能を十分に発揮するためにフィッティングをしなければ、眼鏡としてその機能を発揮するものとはならない。
眼鏡店店頭に於いて、ユーザーがメガネフレームを選択、店頭もしく眼科医の処方箋にて度数・レンズの決定後、眼鏡の掛け具合を合わせる事をフィッティングと言う。
【０００３】
そもそも店頭でユーザーを前に行う事が常であったが、インターネット販売又は通信販売での購入の場合、調整が出来てないまま送付する事が殆どである。
【０００４】
そこで、本システム（方法）で掛け具合の調整をするものである。
方法として「顔幅長」「顔側面から見て眉間部から耳介上部までの距離（長さ）」「眼と鼻位置までの相対位置関係」といったデータを基に眼鏡フレームを調整する事を基本とする。
【発明の概要】
【発明が解決しようとする課題】
【０００５】
インターネット販売時、眼鏡枠をユーザーの顔にフィッティング調整した状態でお届けできる方法又はシステム。元来眼鏡調整はユーザーと直接面談にて行う調整であるが、インターネット販売、通信販売の場合は直接面談が不可能な為、一般ユーザーも簡単に使える専用測定ゲージ、調整用ゲージが必要である事に着目、考案。
【課題を解決するための手段】
【０００６】
簡単な顔測定用ゲージを作り、測定ゲージをプリンターで印刷し、簡単な組み立てで使用可能にする。
簡単な測定方法の説明を経て得たデータを基にインターネット上のページよりデータを送信、
受信をしたデータを基にフレーム調整用専用ゲージを使って眼鏡枠を調整しお届け又は発送する。
【発明の効果】
【０００７】
インターネット販売、通信販売で購入したサングラス・眼鏡等は調整をされていないまま手元に届いていましたが、この方法でユーザーの顔に調整が出来た状態で受け取る事が出来る。
【図面の簡単な説明】
【０００８】
【図１】図１は顔測定用ゲージで顔幅用測定用紙１である。
【図２】図２は顔測定用ゲージで顔側面から見て眉間部から耳介上部までの長さ測定用紙２である。
【図３】図３は顔測定用ゲージで眼と鼻位置までの（眼高）測定用紙３である。
【図４】図４は図１、図２、図３の測定用紙を使った測定法である。
【図５】図５はフレーム調整専用ゲージで図１の測定用紙１から得たデータを基にフレームテンプル横幅調整用ゲージである。
【図６】図６はフレーム調整専用ゲージで図２の測定用紙２から得たデータを基にフレームテンプル曲げ位置調整用ゲージである。
【図７】図７はフレーム調整専用ゲージで図３の測定用紙３から得たデータを基にフロント枠鼻パット調整用ゲージである。
【発明を実施するための形態】
【０００９】
本発明の実施の形態について図を用いて説明する。
【実施例】
【００１０】
データを受け取る側は未調整の眼鏡・サングラスを用意する。
【００１１】
各ユーザーがWebサーバー上に配したPDFファイル図１、図２、図３の顔測定ゲージをプリンターにて印刷。実線に沿って切り取り、一部組み立てして頂き測定準備をして頂く。
【００１２】
図４の測定法のようにユーザーは鏡を見ながら図１、図２、図３の測定用紙１・２・３を使い測定。
図１の測定用紙１は顔幅長を測定するのに使用
図２の測定用紙２は顔側面から見て眉間部から耳介上部までの距離（長さ）の測定に使用
図３の測定用紙３は眼と鼻位置までの眼高位置割り出しに使用。
【００１３】
測定用紙１のデータは中央「0」を基準に左右共に数値を記録。
測定用紙２のデータは顔、左右共に数値を記録。
測定用紙３のデータはカラーラインを記録（グリーンとイエローの中間なども含む）
【００１４】
ユーザーはインターネットページ又はメール・ファックス等で上記データを送信
受信したデータを基に図５、図６、図７の各フレーム調整用専用ゲージにて調整。
【００１５】
眼鏡枠調整法として、まず図３の測定用紙３のデータを基に未調整の眼鏡フレームを調整します。
眼鏡枠フロント部を図７の鼻パット調整用ゲージの上に置き鼻パット位置を鼻パット基準位置に合わせます。
その時ユーザーの目線カラーラインがレンズ部分の上下中央（幾何学的中心）より上側3〜5mm内に入るように鼻パット位置を調整します。
【００１６】
鼻パットを合わす基準位置の角度や位置は多数ユーザー調整から得た鼻パットが乗る位置の鼻上部の形、広がり角度の平均から出した位置となります。
【００１７】
次に腕（モダン部）テンプルの曲げ位置を確定します。
眼鏡枠を横にし図６のフレームテンプル曲げ位置調整用ゲージの眼鏡枠フロント部ライン上にフロント先端部をあて、腕モダン部の曲がり初めを受信データに合うように曲げ直す。
ユーザーからのデータに7〜9mm長い位置で曲げるのが最も望ましい結果となる為、予め数値ラインはそれに合わせ加工済みの調整ゲージとなっています。
【００１８】
最後に眼鏡の幅をユーザーの顔幅に合わす為、図５のフレームテンプル横幅調整用ゲージに置きフレームフロント中央部分が中央ライン上に有ることを確認し、右側、左側共に受信データ値に合う様フレームを調整する。
ユーザーからのデータに左右共に5〜6mm狭くした状態が最も望ましい結果となる為、予め数値ラインはそれに合わせ加工済みの調整ゲージとなっています。
【図１】
2012123027.tif 000003
【図２】
2012123027.tif 000004
【図３】
2012123027.tif 000005
【図４】
2012123027.tif 000006
【図５】
2012123027.tif 000007
【図６】
2012123027.tif 000008
【図７】
2012123027.tif 000009